(57)【特許請求の範囲】
【請求項１】
２つの筐体が互いに開閉可能に接続された携帯端末であって、
前記２つの筐体の各々に備えられた２つの表示手段と、
前記２つの表示手段のそれぞれに対する接触を検知するタッチパネル式入力手段と、
前記２つの表示手段の一方に配置された特定ボタンと、
前記特定ボタンのフリック操作がなされた場合、当該フリック操作の方向に応じて、前記２つの表示手段の表示画面上で実行されているどのアプリケーションに対する操作であるかを決定し、決定したアプリケーションにおいて、前記特定ボタンの操作に割り当てられた処理を実行する制御手段と、を有する携帯端末。
【請求項２】
前記制御手段は、
前記特定ボタンのフリック操作がなされる前後の一定時間内に当該特定ボタンの操作がなされなかった場合、前記決定したアプリケーションにおいて、当該特定ボタンのシングルタップ操作に割り当てられた処理を実行する、請求項１に記載の携帯端末。
【請求項３】
前記制御手段は、
前記特定ボタンのフリック操作がなされる前後の一定時間内に当該特定ボタンのシングルタップ操作がなされた場合、前記決定したアプリケーションにおいて、当該特定ボタンのダブルクリック操作に割り当てられた処理を実行する、請求項１または２に記載の携帯端末。
【請求項４】
前記制御手段は、
前記特定ボタンのフリック操作がなされる前後の一定時間内に当該特定ボタンの長押し操作がなされた場合、前記決定したアプリケーションにおいて、当該特定ボタンの長押し操作に割り当てられた処理を実行する、請求項１から３のいずれか１項に記載の携帯端末。
【請求項５】
互いに開閉可能に接続された２つの筐体の各々に備えられた２つの表示手段を含む携帯端末の表示制御方法であって、
前記２つの表示手段のそれぞれに対する接触を検知するタッチパネル式入力手段を設けるとともに、前記２つの表示手段の一方に特定ボタンを配置し、
前記特定ボタンのフリック操作がなされた場合、当該フリック操作の方向に応じて、前記２つの表示手段の表示画面上で実行されているどのアプリケーションに対する操作であるかを決定し、
前記決定したアプリケーションにおいて、前記特定ボタンの操作に割り当てられた処理を実行する、表示制御方法。
【発明の詳細な説明】
【技術分野】
【０００１】
本発明は、２つの筐体が互いに開閉可能に接続された携帯端末およびその表示制御方法に関する。
【背景技術】
【０００２】
携帯端末の中には、アプリケーション用の特定ボタンをサポートすること、すなわち、特定ボタンを配置し、特定ボタンが操作された場合、その操作に割り当てられた処理を実行することが、標準化の観点で規定されているものがある。
【０００３】
例えば、特定ボタンの例としては、任意のアプリケーションを起動している状態からホーム画面に遷移するためのＨｏｍｅボタン、１つ前の画面あるいはアプリケーションに遷移するためのＢａｃｋボタン、アプリケーションのメニュー画面（オプションメニュー用のメニュー画面）を表示するためのＭｅｎｕボタン等が挙げられる。
【０００４】
その一方、最近は、２つの筐体が互いに開閉可能に接続され、各筐体に表示画面を備えさせた２画面端末と呼ばれる携帯端末がある。
【０００５】
２画面端末の場合、通常の１画面の携帯端末とは異なり、２つの表示画面の各々で２つのアプリケーションを同時に実行することや、２つの表示画面上で１つのアプリケーションを実行することが可能となっている。このうち、２つのアプリケーションを同時に実行する場合には、２つのアプリケーションの各々に対して特定ボタンが操作されるケースも当然に考えられる。
【０００６】
そのため、２画面端末において、特定ボタンをサポートするためには、２つの表示画面上で実行されるアプリケーションの各々に対する特定ボタンの操作を可能とする必要がある。
【０００７】
例えば、２画面端末において、特定ボタンをサポートする方法として、２つのアプリケーションを同時に実行する時には、特定ボタンの操作前に、操作対象とするアプリケーションへフォーカスを切り替えることが考えられる。
【０００８】
しかしながら、２画面端末において、フォーカス切り替えを行う場合には、以下のような問題がある。
（１）通常の１画面の携帯端末と比較すると、特定ボタンの操作の際に、フォーカス切り替えという１アクション分の操作が増えてしまう。
（２）どのアプリケーションがフォーカスを有しているかを明示するための仕組みが必要になる。
（３）携帯端末を使用するユーザにはフォーカスの概念は分かり難い。
【０００９】
以上の問題を解決する方法として、特許文献１に開示されている技術を利用して、２つの表示部の各々に特定ボタンを配置することが考えられる。
【００１０】
しかしながら、２画面端末において、２つの表示部の各々に特定ボタンを配置する場合には、以下のような問題がある。
（４）ハードウェアの負荷が増大してしまう。
（５）２つの表示部の特定ボタンを操作する必要があるため、携帯端末の利点である片手での操作が困難になってしまう。
【先行技術文献】
【特許文献】
【００１１】
【特許文献１】特開２００６−０８７１０８号公報
【発明の概要】
【発明が解決しようとする課題】
【００１２】
以上の通り、２画面端末においては、２つの表示部の各々に特定ボタンを配置したり、フォーカスを切り替えたりすることなく、２つの表示画面上で実行されるアプリケーションの各々に対する特定ボタンの操作を可能とすることが重要な課題になっている。
【００１３】
そこで、本発明の目的は、上述した課題を解決することができる携帯端末およびその表示制御方法を提供することにある。
【課題を解決するための手段】
【００１４】
本発明の携帯端末は、
２つの筐体が互いに開閉可能に接続された携帯端末であって、
前記２つの筐体の各々に備えられた２つの表示手段と、
前記２つの表示手段のそれぞれに対する接触を検知するタッチパネル式入力手段と、
前記２つの表示手段の一方に配置された特定ボタンと、
前記特定ボタンのフリック操作がなされた場合、当該フリック操作の方向に応じて、前記２つの表示手段の表示画面上で実行されているどのアプリケーションに対する操作であるかを決定し、決定したアプリケーションにおいて、前記特定ボタンの操作に割り当てられた処理を実行する制御手段と、を有する。
【００１５】
本発明の表示制御方法は、
互いに開閉可能に接続された２つの筐体の各々に備えられた２つの表示手段を含む携帯端末の表示制御方法であって、
前記２つの表示手段のそれぞれに対する接触を検知するタッチパネル式入力手段を設けるとともに、前記２つの表示手段の一方に特定ボタンを配置し、
前記特定ボタンのフリック操作がなされた場合、当該フリック操作の方向に応じて、前記２つの表示手段の表示画面上で実行されているどのアプリケーションに対する操作であるかを決定し、
前記決定したアプリケーションにおいて、前記特定ボタンの操作に割り当てられた処理を実行する。
【発明の効果】
【００１６】
本発明の携帯端末によれば、２つの表示部の各々に特定ボタンを配置したり、フォーカスを切り替えたりすることなく、２つの表示画面上で実行されるアプリケーションの各々に対する特定ボタンの操作が可能になるという効果が得られる。
【図面の簡単な説明】
【００１７】
【図１】本発明の一実施形態の携帯端末の外観図である。
【図２】図１に示した携帯端末の機能ブロック図である。
【図３】図１に示した携帯端末で行われるフリック操作を説明する図である。
【発明を実施するための形態】
【００１８】
以下に、本発明を実施するための形態について図面を参照して説明する。
【００１９】
図１は、本発明の一実施形態の携帯端末１の外観図である。
【００２０】
図１を参照すると、本実施形態の携帯端末１は、ヒンジ機構などにより互いに開閉可能に接続された２つの筐体１０−１，１０−２を有する２画面端末である。
【００２１】
筐体１０−１には、表示部１１−１と、表示部１１−１に対する接触を検知するタッチパネル（タッチパネル式入力手段）１２−１と、が設けられている。
【００２２】
筐体１０−２には、表示部１１−２と、表示部１１−２に対する接触を検知するタッチパネル（タッチパネル式入力手段）１２−２と、が設けられている。
【００２３】
表示部１１−１には３つの特定ボタン１３が配置されている。３つの特定ボタン１３は、例えば、上述したＨｏｍｅボタン、Ｂａｃｋボタン、Ｍｅｎｕボタンである。なお、本実施形態においては、特定ボタン１３は、図１に示すように、表示部１１−１の下部に配置されているものとして説明するが、本発明はこれに限定されず、表示部１１−２に配置しても良いし、表示部１１−１または１１−２上のどの位置に配置しても良い。また、特定ボタン１３の配置先を、ソフトウェアによって、表示部１１−１または１１−２に随時切り替えても良い。
【００２４】
図２は、図１に示した携帯端末１の機能ブロック図である。
【００２５】
図２を参照すると、本実施形態の携帯端末１は、特定ボタン１３が配置された表示部１１−１と、表示部１１−２と、タッチパネル１２−１，１２−２と、制御部１４と、を有している。なお、図２においては、図１に示した３つの特定ボタン１３を、説明の便宜のために、１つにまとめて図示している。
【００２６】
制御部１４は、タッチパネル１２−１，１２−２に対する操作に応じて、各種の処理を実行する。
【００２７】
例えば、制御部１４は、タッチパネル１２−１，１２−２に対する操作に応じて、表示部１１−１，１１−２の表示画面上でアプリケーションを実行する。例えば、図１においては、表示部１１−１の表示画面上でアプリケーション＃１が実行され、これと同時に、表示部１１−２の表示画面上でアプリケーション＃２が実行されている。
【００２８】
また、制御部１４は、タッチパネル１２−１に配置された特定ボタン１３に対して、図３に示すようなフリック操作がなされた場合、そのフリック操作の方向に応じて、表示部１１−１，１１−２の表示画面上で実行されているどのアプリケーションに対する操作であるかを決定する。
【００２９】
このとき、制御部１４は、表示画面の決定方法として、任意の方法を使用できる。例えば、図１のように、表示部１１−１，１１−２の各々の表示画面上でアプリケーション＃１，＃２を同時に実行している状態で、フリック操作が右方向になされた場合は、表示部１１−２の表示画面上で実行されているアプリケーションに対する操作と決定し、その他の方向になされた場合は、表示部１１−１の表示画面上で実行されているアプリケーションに対する操作と決定することができる。また、図１とは異なり、２つの表示部１１−１，１１−２の表示画面上で１つのアプリケーションを実行している状態で、特定ボタン１３に対するフリック操作がなされた場合、そのフリック操作の方向が特定の方向であれば、そのアプリケーションに対する操作であると決定したり、そのフリック操作の方向がどの方向であっても、そのアプリケーションに対する操作であると決定したりすることができる。
【００３０】
また、制御部１４は、特定ボタン１３に対するフリック操作の方向に応じて決定したアプリケーションにおいて、特定ボタン１３の操作に割り当てられた処理を実行する。
【００３１】
このとき、例えば、特定ボタン１３のフリック操作がなされる前後の一定時間内に特定ボタン１３への何らの操作もなされなかった場合は、制御部１４は、上記で決定したアプリケーションにおいて、特定ボタン１３のシングルタップ操作に割り当てられた処理を実行する。
【００３２】
また、もし、特定ボタン１３のダブルクリック操作や長押し操作に何らかの処理が割り当てられている場合には、制御部１４は、以下のように対応すれば良い。
【００３３】
例えば、特定ボタン１３のフリック操作がなされる前後の一定時間内に特定ボタン１３のシングルタップ操作がなされた場合は、制御部１４は、上記で決定したアプリケーションにおいて、特定ボタン１３のダブルクリック操作に割り当てられた処理を実行する。
【００３４】
また、例えば、特定ボタン１３のフリック操作がなされる前後の一定時間内に特定ボタン１３の長押し操作がなされた場合は、制御部１４は、上記で決定したアプリケーションにおいて、特定ボタン１３の長押し操作に割り当てられた処理を実行する。なお、特定ボタン１３の長押し操作後のフリック操作には、長押しした状態でのフリック操作と、長押しを解除し指を離してからのフリック操作と、の双方が含まれるものとする。
【００３５】
上述したように本実施形態においては、制御部１４は、特定ボタン１３のフリック操作がなされた場合、そのフリック操作の方向に応じて、表示部１１−１，１１−２の表示画面上で実行されているどのアプリケーションに対する操作であるかを決定し、決定したアプリケーションにおいて、特定ボタン１３の操作に割り当てられた処理を実行する。
【００３６】
したがって、特定ボタン１３のフリック操作という１つのアクションによって、表示画面の選択と、選択した表示画面上で実行されているアプリケーションに対する特定ボタン１３の操作と、が可能になる。
【００３７】
よって、２つの表示部１１−１，１１−２の各々に特定ボタン１３を配置したり、フォーカスを切り替えたりすることなく、２つの表示画面上で実行されるアプリケーションの各々に対する特定ボタン１３の操作が可能になる。
【００３８】
よって、本実施形態は、フォーカス切り替えを行う構成と比較して、以下の効果を得ることができる。
（１）特定ボタン１３の操作の際に、フォーカス切り替えという１アクション分の操作が不要になる。
（２）どのアプリケーションがフォーカスを有しているかを明示する必要がなくなる。
（３）フォーカスの概念をユーザが意識する必要がなくなる。
【００３９】
また、本実施形態は、２つの表示部１１−１，１１−２の各々に特定ボタン１３を配置する構成と比較して、以下の効果を得ることができる。
（４）ハードウェアの負荷を低減することができる。
（５）片手での操作が可能になる。
【符号の説明】
【００４０】
１    携帯端末
１０−１，１０−２    筐体
１１−１，１１−２    表示部
１２−１，１２−２    タッチパネル
１３    特定ボタン
１４    制御部
【図２】
0005573512.tif 000002
【図１】
0005573512.tif 000003
【図３】
0005573512.tif 000004